(57)【特許請求の範囲】
【請求項１】
送信アンテナと受信アンテナとを含んで構成され、前記受信アンテナでの受信信号を増幅して前記送信アンテナから再送信する無線中継装置において、
受信信号に含まれる反射波成分を除去する反射波キャンセラ手段と、
受信信号に含まれる回り込み波成分を除去する回り込み波キャンセラ手段と、
前記送信アンテナから再送信する送信信号の電力を制御する電力制御手段と、
前記電力制御手段によって送信信号の電力を制限してから前記反射波キャンセラ手段による反射波の除去を開始するとともに、その後、前記電力制御手段によって送信信号の電力を回復させてから前記回り込み波キャンセラ手段による回り込み波の除去を開始するキャンセラ制御手段と、
を含むことを特徴とする無線中継装置。
【請求項２】
送信アンテナと受信アンテナとを含んで構成され、前記受信アンテナでの受信信号を増幅して前記送信アンテナから再送信する無線中継装置において、
受信信号に含まれる反射波成分を除去する反射波キャンセラ手段と、
受信信号に含まれる回り込み波成分を除去する回り込み波キャンセラ手段と、
送信信号の電力が徐々に上がるときは、送信信号の電力が所定閾値よりも低い場合に前記反射波キャンセラ手段による反射波の除去を開始するとともに、送信信号の電力が所定閾値以上である場合に前記回り込み波キャンセラ手段による回り込み波の除去を開始するキャンセラ制御手段と、
を含むことを特徴とする無線中継装置。
【請求項３】
請求項１又は２に記載の無線中継装置において、
前記反射波キャンセラ手段による反射波の除去と、前記回り込み波キャンセラ手段による回り込み波の除去と、が所定時間それぞれ実行されるまで、送信信号の電力を制限する電力制限手段をさらに含むことを特徴とする無線中継装置。
【請求項４】
請求項１乃至請求項３のいずれかに記載の無線中継装置において、
中継元たる放送局又は無線中継装置から所定通信回線によりキャンセラ開始信号を受信するまで、前記反射波キャンセラ手段による反射波の除去を制限する反射波キャンセラ制限手段をさらに含むことを特徴とする無線中継装置。
【請求項５】
請求項１乃至請求項３のいずれかに記載の無線中継装置において、
受信信号の電力レベルが所定基準を満たすまで、前記反射波キャンセラ手段による反射波の除去を制限する反射波キャンセラ制限手段をさらに含むことを特徴とする無線中継装置。
【請求項６】
請求項１乃至請求項５のいずれかに記載の無線中継装置において、
前記反射波キャンセラ手段による反射波の除去と、前記回り込み波キャンセラ手段による回り込み波の除去と、が所定時間それぞれ実行されると、中継先たる無線中継装置に対して干渉波除去終了信号を所定通信回線で送信する干渉波除去処理終了通知手段をさらに含むことを特徴とする無線中継装置。
【発明の詳細な説明】
【０００１】
【発明の属する技術分野】
本発明は無線中継装置に関し、特に送信アンテナから受信アンテナへの回り込みやマルチパスの影響を軽減するため干渉キャンセラを備える無線中継装置に関する。
【０００２】
【従来の技術】
地上波テレビ等のサービスエリア拡大の方法として、放送波を受信し、その電力を増幅してから再送信する放送波中継方式がある。従来のアナログテレビ放送では、無線中継装置（中継局）の受信アンテナで放送波を受信し、電力を増幅した後、送信アンテナから受信放送波とは異なる周波数で放送波を再送信している。ところが、現在開発が進められているディジタルテレビ放送では、マルチパスに強いＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；直交周波数分割多重）方式が採用されたことから、無線中継装置で放送波を受信し、電力を増幅した後、受信放送波と同じ周波数で放送波を再送信する、いわゆるＳＦＮ（Ｓｉｎｇｌｅ  Ｆｒｅｑｕｅｎｃｙ  Ｎｅｔｗｏｒｋ；単一周波数ネットワーク）の構成が可能であるとされる。かかるＳＦＮによれば周波数の有効利用が可能となる。
【０００３】
ところが、ＳＦＮを実現しようとすれば、送信アンテナからの送信波が同一無線中継装置の受信アンテナに回り込む、いわゆる回り込み波の影響が無視できない。すなわち、ＳＦＮでは送信波と受信波とで同一周波数を用いるため、かかる回り込み現象により空間的な帰還が生じ、その帰還率が大きい場合は、発振状態にさえ陥る。この場合には中継信号の劣化を引き起こす。
【０００４】
また、中継局にて受信する信号は直接波（希望波）のみならず反射波も含まれる。このため、運用に先立ち、マルチパス干渉が出来るだけ少なくなるように受信アンテナの設置位置や向きの調整を行い、その後、回り込み干渉を回り込みキャンセラで除去する方法が考えられる。この回り込みキャンセラには、例えば「地上ディジタル放送ＳＦＮのための放送波中継用回り込みキャンセラの検討（電子情報通信学会技術研究報告（ＥＭＣＪ９８−１１１））」に記載されているような、既知シンボルを利用した方式を採用することができる。
【０００５】
【発明が解決しようとする課題】
しかしながら、受信アンテナの設置位置や向きの調整は、マルチパス特性を監視しながら手作業で行わなければならず、人的及び時間的なコストがかかってしまうという問題がある。
【０００６】
そこで、受信アンテナの設置位置や向きの調整によってマルチパスを抑圧する代わりに、回り込み除去だけでなくマルチパス除去も回路的に実施することも考えられる（干渉キャンセラ）。しかしながら、マルチパスの影響が残存したままの状態で、干渉キャンセラによってマルチパス成分及び回り込み波成分を受信信号から除去するのは困難であり、処理時間が長くかかってしまうという問題がある。
【０００７】
さらに、マルチパスの影響が残存したままの状態で、中継局に備えられた増幅器にて受信信号を増幅すると、増幅出力に歪みが多く含まれる虞がある。以下、この問題を詳説する。
【０００８】
図５（ａ）は、放送局又は前段中継局からの直接波（希望波）と大地等からの反射波（干渉波）との合成波について、周波数領域にて振幅変動を示した図である。同図において、縦軸は振幅（受信レベル）を表しており、横方向の直線は無歪み、すなわち直接波のみの振幅を表している。また同図（ｂ）は、送信信号が送信アンテナから受信アンテナへ回り込みした際の回り込み波と直接波との合成波について、周波数領域にて振幅変動を示した図である。同図においても、縦軸は振幅を表しており、横方向の直線は無歪み、すなわち直接波のみの振幅を表している。同図に示される合成波の振幅変動は以下の理由によって生じる。
【０００９】
まず、反射波の直接波に対する遅延時間をｔｆ、振幅比をαｆ、位相差をθｆとした場合、アンテナ端（受信アンテナ）における受信信号の伝達関数は次式（１）のように表すことができる。ここで、ωは角周波数である（ω＝２πｆ）。
【００１０】
【数１】
Ｈｆ（ω）＝１＋αｆ・ｅｘｐ｛ｊ（ωｔｆ＋θｆ）｝          …（１）
一方、回り込み波についても、直接波に対する遅延時間をｔｂ、振幅比をαｂ、位相差をθｂとした場合、アンテナ端における受信信号の伝達関数は次式（２）のように表すことができる。
【００１１】
【数２】
Ｈｂ（ω）＝１／［１−αｂ・ｅｘｐ｛ｊ（ωｔｂ＋θｂ）｝］  …（２）
上式（１）及び（２）に示されるように、遅延時間ｔｆ，ｔｂ、振幅比αｆ，αｂ、位相差θｆ，θｂによって受信信号の周波数領域における振幅が変動することになる。
【００１２】
これら反射波及び回り込み波が中継局の受信アンテナで受信されると、その振幅は図５（ｃ）のようになる。同図は、受信アンテナで受信される直接波、反射波、及び回り込み波とを合成してなる受信信号について、周波数領域での振幅変動の一例を示している。まず、受信信号の振幅変動は振幅比αｆ，αｂに依存する。そして、振幅比αｆ，αｂは、伝送路たる大地や空間の状態により、或いは中継局近傍の建造物や地形により、無視できない値となる場合も多い。
【００１３】
ここで、仮にマルチパスにおける振幅の凸部（振幅ピーク）と、回り込み波における振幅の凸部と、で周波数が一致或いは近接したとすると、その一致した周波数付近で受信信号の振幅は急激に上昇することになる。
【００１４】
また、仮に反射波と回り込み波とで遅延時間ｔｆ，ｔｂが一致したとすると、振幅の凸部も周期的に一致するようになるため、多くのサブキャリアにて受信信号の振幅上昇が発生することになる。遅延時間ｔｆ，ｔｂが一致しない場合であっても、反射波と回り込み波とで振幅の凸部が一致或いは近接したとすると、やはりその周波数近傍で振幅は急激に上昇することになる。
【００１５】
その他、中継信号の変調方式がＱＡＭ等の多値変調方式の場合にも合成信号の振幅変動が大きくなる場合がある。また、反射波のパスや回り込み波のパスが複数存在する場合にも、振幅変動の凸部が多く発生して振幅変動が大きくなり、振幅の急上昇が生じる場合がある。
【００１６】
以上のようにして受信信号の振幅が急激に上昇すると、その信号を中継局に備えられた増幅器で受信信号を増幅した場合、増幅器が非線形動作してしまい、増幅出力に歪みが多く含まれてしまう。もちろん、中継局に用いる増幅器は線形動作領域を広くとるように設計することが望ましいが、限界がある。そして、このように増幅出力に歪みが多く含まれてしまうと、それを用いてマルチパス及び回り込み波に係る成分を干渉キャンセラにおいて受信信号から除去するのは益々困難となり、処理時間もさらに長くなってしまう。
【００１７】
また、ＯＦＤＭ方式等によるマルチキャリア変調信号を考える場合には、この問題はさらに顕在化する。すなわち、マルチキャリア変調信号においては、相当数のサブキャリアにおける振幅の凸部が偶々一致乃至近接した場合、そこで受信信号の振幅は急激に上昇する。このように受信信号の振幅が急激に上昇すると、中継局の増幅器の非線形動作により、増幅出力には高次の高調波が多く含まれるようになる。この高調波は他のサブキャリアへの干渉を引き起こすため、反射波や回り込み波を対象として用意した干渉キャンセラの能力を十分に発揮させることができなくなってしまう。
【００１８】
本発明は上記課題に鑑みてなされたものであって、反射波と回り込み波の影響を速やかに除去することのできる無線中継装置を提供することにある。
【００１９】
【課題を解決するための手段】
上記課題を解決するために、本発明に係る無線中継装置は、送信アンテナと受信アンテナとを含んで構成され、前記受信アンテナでの受信信号を増幅して前記送信アンテナから再送信する無線中継装置において、受信信号に含まれる反射波成分を除去する反射波キャンセラ手段と、受信信号に含まれる回り込み波成分を除去する回り込み波キャンセラ手段と、前記送信アンテナから再送信する送信信号の電力を制御する電力制御手段と、前記電力制御手段によって送信信号の電力を制限してから前記反射波キャンセラ手段による反射波の除去を開始するとともに、その後、前記電力制御手段によって送信信号の電力を回復させてから前記回り込み波キャンセラ手段による回り込み波の除去を開始するキャンセラ制御手段と、を含むことを特徴とする。
【００２０】
本発明によれば、送信信号の電力が制限（電力の低下又は停止等）されて、回り込み波の影響が無くなった状態（或いは少なくなった状態）で、速やかに反射波の除去を行うことができる。そうして、反射波の除去がある程度できるようになった後、送信信号の電力を回復させて、次に回り込み波の除去が開始される。こうすれば、反射波の除去を回り込み波の除去と分離して行うことができ、迅速に処理することができるようになる。
【００２１】
また、反射波の除去が不十分な段階であっても、送信信号の電力制限によって受信信号には回り込み成分が含まれていない（或いは少ない）ため、回り込み波に起因する振幅変動が抑圧される。さらに、回り込み波の除去が不十分な段階であっても、送信信号は既に反射波の除去がある程度進んでいるため、その振幅変動は抑圧されたものとなる。この結果、無線中継装置に備えられる増幅器の出力に歪みが加わることを抑制することができ、無線中継装置において反射波や回り込み波の影響を速やかに除去することができるようになる。
【００２２】
また、本発明に係る無線中継装置は、送信アンテナと受信アンテナとを含んで構成され、前記受信アンテナでの受信信号を増幅して前記送信アンテナから再送信する無線中継装置において、受信信号に含まれる反射波成分を除去する反射波キャンセラ手段と、受信信号に含まれる回り込み波成分を除去する回り込み波キャンセラ手段と、送信信号の電力が徐々に上がるときは、送信信号の電力が所定閾値よりも低い場合に前記反射波キャンセラ手段による反射波の除去を開始するとともに、送信信号の電力が所定閾値以上である場合に前記回り込み波キャンセラ手段による回り込み波の除去を開始するキャンセラ制御手段と、を含むことを特徴とする。
【００２３】
本発明によれば、送信信号の電力が所定閾値よりも低い場合に前記反射波キャンセラ手段による反射波の除去を開始し、送信信号の電力が所定閾値以上である場合に前記回り込み波キャンセラ手段による回り込み波の除去を開始する。例えば無線中継装置の動作開始時等において、送信信号の電力が徐々に上がる場合には、所定閾値よりも低い場合に反射波の除去を開始し、所定閾値以上になると回り込み波の除去を開始する。
【００２４】
こうすれば、反射波の除去を回り込み波の除去と分離して行うことができ、迅速に処理することができるようになる。また、無線中継装置に備えられる増幅器の出力に歪みが加わることを抑制することができるため、無線中継装置において反射波や回り込み波の影響を速やかに除去することができるようになる。
【００２５】
また、本発明の一態様では、前記反射波キャンセラ手段による反射波の除去と、前記回り込み波キャンセラ手段による回り込み波の除去と、が所定時間それぞれ実行されるまで、送信信号の電力を制限する電力制限手段をさらに含む。
【００２６】
こうすれば、反射波や回り込み波の影響が未だ十分に低減されていない送信信号が中継先たる他の無線中継装置に送信され、そこでの処理（例えば干渉キャンセラの処理）に悪影響を及ぼすことを防止することができる。
【００２７】
また、本発明の一態様では、中継元たる放送局又は無線中継装置から所定通信回線によりキャンセラ開始信号を受信するまで、前記反射波キャンセラ手段による反射波の除去を制限する反射波キャンセラ制限手段をさらに含む。
【００２８】
こうすれば、中継元たる放送局又は無線中継装置から品質の悪い送信信号が送られている間に、その品質の悪い送信信号に基づいて反射波の除去が行われることを防止することができ、反射波の除去を速やかに行うことができるようになる。
【００２９】
また、本発明の一態様では、受信信号の電力レベルが所定基準を満たすまで、前記反射波キャンセラ手段による反射波の除去を制限する反射波キャンセラ制限手段をさらに含む。
【００３０】
こうすれば、例えば受信信号の電力レベル（或いはその包絡線）が所定閾値を越えた場合等の所定基準を満たしてから、反射波の除去が制限無く行われるようになる。この結果、品質の悪い受信信号に基づいて反射波の除去が行われることを制限することができるようになる。
【００３１】
さらに、本発明の一態様では、前記反射波キャンセラ手段による反射波の除去と、前記回り込み波キャンセラ手段による回り込み波の除去と、が所定時間それぞれ実行されると、中継先たる無線中継装置に対して干渉波除去終了信号を所定通信回線で送信する干渉波除去処理終了通知手段をさらに含む。
【００３２】
この態様によれば、中継先たる無線中継装置では中継元なる無線中継装置において干渉波除去処理がある程度終了したことを知ることができる。こうすれば、例えばその時点から中継先たる他の無線中継装置において干渉波除去のための処理を開始する等できる。
【００３３】
【発明の実施の形態】
以下、本発明の好適な実施の形態について図面に基づき詳細に説明する。
【００３４】
図１は、本発明の一実施の形態に係る無線中継装置の構成を示す図である。同図に示す無線中継装置１０は、受信アンテナ１２と、送信アンテナ２２と、増幅器１４，２０と、干渉キャンセラ１６と、スイッチ１８と、制御部２４と、受信レベル検出部２６と、を含んで構成されている。受信アンテナ１２は、同図に示されるように中継元たる放送局や前段無線中継装置からの直接波のみならず、反射波や回り込み波も受信する。受信信号は、増幅器１４により干渉キャンセラ１６での処理に適した電力レベルまで増幅されてから、干渉キャンセラ１６に供給される。
【００３５】
干渉キャンセラ１６は、受信信号から反射波成分を除去する反射波キャンセラ機能を有するとともに、受信信号から回り込み波成分を除去する回り込み波キャンセラ機能を有する。この干渉キャンセラ１６としては公知のものを採用することができる。例えば既知シンボルを用いて反射波や回り込み波の成分を推定し、受信信号からそれら推定信号を差し引くことにより、反射波成分や回り込み波成分等の干渉波成分を受信信号から除去することができる。このとき、反射波成分や回り込み波成分はそれぞれ複数パスについて除去するように構成してもよい。また、干渉キャンセラは、反射波キャンセラ機能と回り込みキャンセラ機能と従属接続して構成してもよく、また、同一回路にて反射波キャンセラ完了時の各パラメータを初期値として回り込みキャンセラを動作させる構成としてもよい。
【００３６】
干渉キャンセラ１６により出力される干渉波除去済みの受信信号はスイッチ１８を介して増幅器２０に供給され、十分に増幅された後、送信アンテナ２２から再送信される。なお、本発明は中継信号の変調方式による制約はなく、どのような変調方式についても適用可能である。
【００３７】
無線中継装置１０には受信レベル検出部２６及び制御部２４も備えられている。受信レベル検出部２６は増幅器１４の出力を用いて受信信号の電力レベルを検出し、それを制御部２４に供給する。受信レベル検出部２６は増幅器１４による増幅前の信号を用いて受信信号の電力レベルを検出するようにしてもよい。また、受信レベル検出部２６は、さらに受信しようとする信号の帯域全体に亘って検出できる構成とし、例えば複素信号に変換後、直交成分と同相成分の自乗和等による包絡線検出が適用でき、受信レベルの瞬時的な変動には影響されないよう時間軸方向に平均化することが望ましい。
【００３８】
制御部２４は、干渉キャンセラ１６及びスイッチ１８に対して制御信号を供給する。具体的には、まず受信レベル検出部２６から供給される受信信号の電力レベルを監視し、それが所定閾値に達した場合に、スイッチ１８に接続断の旨の制御信号を供給する。ここでしきい値としては、例えば中継局入力電力から試験的に予め得ておけばよい。スイッチ１８ではこの制御信号を受けて、干渉キャンセラ１６の出力が増幅器２０に供給されるのを阻止する。続いて制御部２４では、干渉キャンセラ１６に対して反射波キャンセラ機能を起動するよう指示する制御信号を出力する。これを受け、干渉キャンセラ１６では反射波キャンセラ機能により受信信号から反射波成分を除去し始める。干渉キャンセラ１６の反射波キャンセラ機能及び回り込み波キャンセラ機能は、上述したように反射波や回り込み波の成分推定を行う等しているため、時間の経過と共に干渉波除去能力が向上する。
【００３９】
制御部２４では、所定時間が経過して干渉キャンセラ１６においてある程度の反射波成分の除去が可能となると、今度はスイッチ１８に対して接続の旨の制御信号を供給するとともに、干渉キャンセラ１６に対して回り込み波キャンセラ機能を起動するよう指示する制御信号を出力する。これを受けて、スイッチ１８では干渉キャンセラ１６の出力を増幅器２０に供給し始める。また、干渉キャンセラ１６では回り込み波キャンセラ機能により送信アンテナ２２から受信アンテナ１２への回り込み波の成分を受信信号から除去し始める。この時点で干渉キャンセラ１６は反射波キャンセラ機能と回り込み波キャンセラ機能の両機能が動作することになる。
【００４０】
図２は、無線中継装置１０の動作を説明するフロー図である。同図に示すように、無線中継装置１０では、まず制御部２４によりスイッチ１８に制御信号が供給され、増幅器２０へ干渉キャンセラ１６の出力が供給されないようにされる。こうして、無線中継装置１０は送信停止状態となる（Ｓ１０１）。その後、制御部２４は受信レベル検出部２６による検出結果に基づき、受信レベルが所定閾値を超えるか否かを監視する（Ｓ１０２）。そして、受信レベルが所定閾値を超えると、干渉キャンセラ１６に制御信号を送出し、反射波キャンセラ機能を起動する。これにより、反射波除去が開始される。所定時間にわたり反射波除去が継続されると、次に制御部２４はスイッチ１８に制御信号を供給し、送信が開始される（Ｓ１０４）。さらに制御部２４は干渉キャンセラ１６に制御信号を送出し、回り込み波キャンセラ機能を起動する（Ｓ１０５）。これにより、回り込み波除去が開始される。そして、所定時間が経過すると本格運用が開始される（Ｓ１０６）。
【００４１】
ここで、図３（ａ）には反射波キャンセラ機能のみが起動されている場合の干渉キャンセラ１６の動作が示されている。同図において横線（破線）は希望波の振幅変動を示しており（変動なし）、振幅変動の大きな波状の線（一点鎖線）は干渉キャンセラ１６の入力を示しており（図５（ａ）に対応する）、振幅変動の比較的小さな波状の線（実線）は干渉キャンセラ１６の出力を示している。縦軸は振幅を示し、横軸は周波数を示している。同図に示されるように、反射波キャンセラ機能による反射波除去が十分に機能し始めると反射波に起因する振幅変動が抑圧されるようになる。
【００４２】
図３（ｂ）は反射波が存在せず回り込み波のみが存在するとした場合の干渉キャンセラ１６の入力を示す図である。同図において横線（破線）は希望波の振幅変動を示しており、実線はこの場合における干渉キャンセラ１６の入力を示している。そして、同図（ｂ）の実線と同図（ａ）の実線とを乗算して合成されたものが、回り込み波キャンセラ機能の起動直後に干渉キャンセラ１６に入力されることになる。同図（ｃ）には回り込み波キャンセラ機能の起動直後に干渉キャンセラ１６に入力される信号が実線として示されている。一点鎖線は、仮に予め反射波除去がされていないとした場合の、干渉キャンセラ１６の入力を示している（図５（ｃ）に対応）。同図に示されるように、予め反射波除去をすることにより干渉キャンセラ１６の入力の振幅変動を抑圧できるようになる。また、これに伴い、増幅器１４，２０への入力についても振幅変動を抑圧できるようになる。
【００４３】
このように、本発明の実施の形態に係る無線中継装置１０によれば、送信信号を送信する前に予め反射波除去を行うことができ、これにより内部信号の振幅変動を抑圧することができるようになる。この結果、増幅器１４，２０において歪みが発生することを防止することができ、干渉キャンセラ１６における回り込み波の推定処理が迅速に行われるようにできる。
【００４４】
なお、図２においてＳ１０３からＳ１０４に移行するタイミング、すなわち、反射波除去処理をどの程度行えばＳ１０４において送信再開してよいかは、回り込み波の振幅変動の程度と、増幅器１４，２０の線形動作領域と、に基づいて判断すればよい。すなわち、後に回り込み波成分まで受信信号に重畳するようになった場合にも増幅器１４，２０において歪みが発生しない程度に、予め反射波を除去するようにすればよい。このため、例えば移行タイミングは干渉キャンセラの振幅変動が所定幅に収まるに至った場合とするようにしてもよい。或いは、中継信号としてマルチキャリア変調信号を考えた場合、隣接チャネルへの干渉量や信号帯域内における高調波成分から、移行タイミングを判断するようにしてもよい。
【００４５】
以上説明した無線中継装置１０によれば、設置時に受信アンテナ１２や送信アンテナ２２の設置位置や向きの調整が不要であり、設置時のコストを削減することが可能となる。また、反射波除去を回り込み波除去と分離して行えるため、迅速に反射波除去をできるようになる。また、反射波がある程度除去されてから回り込み波の除去を開始するため、回り込み波の除去も迅速に行えるようになる。さらに、反射波をある程度除去してから送信開始するため、受信信号の振幅変動を抑圧することができるようになる。このため、増幅器１４，２０において歪みが発生することを防止することができ、歪みに起因する干渉キャンセラ１６の誤動作を防止することができる。
【００４６】
なお、以上説明した無線中継装置１０は種々の変形実施が可能である。
【００４７】
例えば、以上の説明ではスイッチ１８により送信停止及び再開を制御するようにしたが、増幅器２０により制御するようにしてもよい。この場合、完全に送信停止する代わりに増幅器２０のゲイン調整により回り込み波を抑制するよう構成してもよい。
【００４８】
また、以上の説明では受信信号を再送信して再送信波の回り込みを調べることにより回り込み波の推定及び除去を行ったが、本格運用前にあっては無線中継装置１０で生成した固有の信号を送信アンテナ２２から送信し、その回り込みを調べることにより回り込み波の推定及び除去を行うようにしてもよい。
【００４９】
また、無線中継装置１０では、自装置の都合だけで動作制御したが、干渉波除去が十分でない信号を中継先の無線中継装置に送信すると、その無線中継装置において干渉波除去を迅速に行うことができない虞がある。このため、自装置において干渉波除去が十分に済んでから送信信号の電力レベルを既定値まで上昇させるようにしてもよい。或いは自装置において干渉波除去が十分に済んだ場合に中継先の無線中継装置に干渉波除去終了信号を送信するようにしてもよい。こうすれば、中継先の無線中継装置において、干渉波除去終了信号を受信してから干渉キャンセラによる反射波除去を開始させるようにできる。この場合、干渉波除去終了信号は中継信号に重畳させて送信アンテナ２２から送信するようにしてもよいし、公衆回線などの別回線により送信するようにしてもよい。
【００５０】
さらに、無線中継装置１０では制御部２４からスイッチ１８（及び／又は増幅器２０）に制御信号を送出して送信制御し、送信信号の電力レベルを抑圧（又は停止）した状態で反射波除去をするようにしたが、そのように電力レベルの制御をしなくても反射波除去を回り込み波除去から分離して行うようにできる。すなわち、図４に示される無線中継装置１０ａのように、スイッチ１８を省略し、その代わりに制御部２４ａによって、増幅器２０におけるゲインが十分に増大する前に反射波除去を済ませ、その後回り込み波除去を開始させるようにしてもよい。この場合、例えば予め増幅器１４，２０の立ち上がり時の振る舞いを調べておき、それにより回り込み波除去の開始タイミングを決めておくことができる。
【図面の簡単な説明】
【図１】本発明の実施の形態に係る無線中継装置の構成を示す図である。
【図２】本発明の実施の形態に係る無線中継装置の動作を説明するフロー図である。
【図３】干渉キャンセラの入出力信号を説明する図である。
【図４】本発明の他の実施の形態に係る無線中継装置の構成を示す図である。
【図５】無線中継装置における反射波及び回り込み波の影響を説明する図である。
【符号の説明】
１０，１０ａ  無線中継装置、１２  受信アンテナ、１４，２０  増幅器、１６  干渉キャンセラ、１８  スイッチ、２２  送信アンテナ、２４，２４ａ  制御部、２６  受信レベル検出部。
【図１】
0003588430.tif 000002
【図２】
0003588430.tif 000003
【図３】
0003588430.tif 000004
【図４】
0003588430.tif 000005
【図５】
0003588430.tif 000006